(57)【要約】      （修正有）【課題】台所流し台、風呂場やトイレの床の排水口等のように、雑菌やカビ等の代謝物によりぬめりや悪臭が発生する箇所に設け、ぬめりを除去したり、ぬめりの発生を防止したり、あるいはぬめりを防除したりするのに有用なぬめり取り具に関し、特に、家庭用台所流し台の排水口部に設置されたゴミ取りカゴ用のぬめり取り具またはぬめり取りフィルターを提供する。【解決手段】台所流し台、洗面台、風呂場などの排水口に装着または載置されるフィルターにおいて、ぬめり取り剤４が収容されたバスケット状のぬめり取り具３を、フィルターに着脱可能にするとともに、フィルターの略中央部に取り付ける。【選択図】  図１
2004332512.tif 000002
【特許請求の範囲】
【請求項１】
台所流し台、洗面台、風呂場などの排水口に装着または載置されるフィルターにおいて、ぬめり取り剤が収容されたバスケット状のぬめり取り具を、前記フィルターに着脱可能にするとともに、フィルターの略中央部に取り付けることを特徴とした排水口用ぬめり取りフィルター。
【請求項２】
台所流し台、洗面台、風呂場などの排水口に装着または載置される排水口用ぬめり取り具において、ストライプまたはメッシュ状の網目を有するバスケット形状にするとともに、収容したぬめり取り剤がバスケット内から落ちないようにするために、バスケット上部にストッパー部を設けたことを特徴とした排水口用ぬめり取り具。
【請求項３】
台所流し台、洗面台、風呂場などの排水口に装着または載置される排水口用ぬめり取り具において、ストライプまたはメッシュ状の網目を有するバスケット形状にするとともに、収容したぬめり取り剤がバスケット内から落ちないようにするために、バスケット上部に蓋部が装着される構成にしたことを特徴とした排水口用ぬめり取り具。
【請求項４】
蓋部を有する前記フィルターにおいて、前記蓋部の略中央部に、ぬめり取り剤が収容されたバスケット状のぬめり取り具を着脱可能にするとともに、前記蓋部の外周近傍につまみ部を設けたことを特徴とした排水口用ぬめり取りフィルター。
【請求項５】
台所流し台、洗面台、風呂場などの排水口に装着または載置されるフィルターにおいて、フィルターの枠体部には直接接続されず、フィルターの略中心部から略放射状に配置され、金型内に注入される熔融樹脂を一旦蓄圧してから網部に流入させるための太径の棒状またはリング状の誘導帯を設けたことを特徴とした請求項１ないし４の排水口用ぬめり取り具およびぬめり取りフィルター。
【発明の詳細な説明】
【０００１】
【発明の属する技術分野】
本発明は、台所流し台、風呂場やトイレの床の排水口等のように、雑菌やカビ等の代謝物によりぬめりや悪臭が発生する箇所に設け、ぬめりを除去したり、ぬめりの発生を防止したり、あるいはぬめりを防除したりするのに有用なぬめり取り具に関し、特に、家庭用台所流し台の排水口部に設置されたゴミ取りカゴ用のぬめり取り具またはぬめり取りフィルターに関する。
【０００２】
【従来の技術】
台所流し台や風呂場の排水口には、食材、界面活性剤、石鹸、人の垢等が細菌の栄養源となることでぬめりが生じるが、その発生防止または抑制のためのぬめり取り剤が販売されている。しかし、これらの多くは、使い勝手が悪くさらに改良する余地がある。以下に、従来例の説明をする。
１）特開２００２−２６６４０２
図１４に示すように、ぬめり剤容器を紐や平板状の杆などでバスケット内に吊り下げるだけのタイプがほとんどであり、ゴミ捨て時の際にはゴミと一緒にバスケット内から飛び出すなど、取り扱いに不便であった。
２）特開平８−１１４４
図１３に示すように、バスケットの底部にぬめり取り剤を封入した構造のものもあるが、これだと封入されたぬめり取り剤の消失とともにぬめり取りの効用はなくなってしまい、さらに、新規のぬめり取り剤を補充しようにも、その構造から補充することができなかった。ぬめり取り剤は、通常数週間以内には消失してしまうので非常に不経済なフィルターであった。
３）特開２００３−４１２９３
図１２に示すように、バスケットの鍔部にぬめり取り剤を装着できる構成のものもある。排水口に流れ込む流水に接触させることができ、且つ、接触により生じたぬめり取り剤の溶解液が、ぬめり発生面に広がらせることができる。しかし、この構成だと鍔部近辺のぬめりは防止できるが、もっともぬめりの発生しやすいバスケット側面や底面へは効きにくいという欠点があった。鍔部でぬめり取り剤の取り替え動作ができるので、使いやすさはあるものの、フィルター全体への効きに問題があった。
【０００３】
上記従来例のさらなる欠点は、ぬめり取り剤の交換時の安全性が考慮されていない、ということである。ぬめり取り剤は、塩素系酸化剤の強力な殺菌力により、ゴミ取りカゴのぬめりと悪臭の防止に効果を発揮し、広く使用されているが、その強力な酸化力によりゴミ取りバスケット及び周辺の排水口材質を劣化・腐食させる他、塩素ガスや塩素ガスと食物クズ中の窒素分との反応により生成する三塩化窒素等の刺激臭のガスを発生する等の安全性に問題を有している。
従い、これを素手で取り扱うことには安全上の問題があり、問題の無い構造が要求されていた。
【０００４】
【発明が解決しようとする課題】
ぬめり取り効果が得られるぬめり取り具またはぬめり取りフィルターを提供することにある。
【０００５】
【課題を解決するための手段】
本発明は、上記課題を解決するためのもので、以下の特徴を有する。
請求項１においては、台所流し台、洗面台、風呂場などの排水口に装着または載置されるフィルターにおいて、ぬめり取り剤が収容されたバスケット状のぬめり取り具を、前記フィルターに着脱可能にするとともに、フィルターの略中央部に取り付けることを特徴とした排水口用ぬめり取りフィルター。
請求項２においては、台所流し台、洗面台、風呂場などの排水口に装着または載置される排水口用ぬめり取り具において、ストライプまたはメッシュ状の網目を有するバスケット形状にするとともに、収容したぬめり取り剤がバスケット内から落ちないようにするために、バスケット上部にストッパー部を設けたことを特徴とした排水口用ぬめり取り具。
請求項３においては、台所流し台、洗面台、風呂場などの排水口に装着または載置される排水口用ぬめり取り具において、ストライプまたはメッシュ状の網目を有するバスケット形状にするとともに、収容したぬめり取り剤がバスケット内から落ちないようにするために、バスケット上部に蓋部が装着される構成にしたことを特徴とした排水口用ぬめり取り具。
請求項４においては、蓋部を有する前記フィルターにおいて、前記蓋部の略中央部に、ぬめり取り剤が収容されたバスケット状のぬめり取り具を着脱可能にするとともに、前記蓋部の外周近傍につまみ部を設けたことを特徴とした排水口用ぬめり取りフィルター。
請求項５において、台所流し台、洗面台、風呂場などの排水口に装着または載置されるフィルターにおいて、フィルターの枠体部には直接接続されず、フィルターの略中心部から略放射状に配置され、金型内に注入される熔融樹脂を一旦蓄圧してから網部に流入させるための太径の棒状またはリング状の誘導帯を設けたことを特徴とした請求項１ないし４の排水口用ぬめり取り具およびぬめり取りフィルター。
【０００６】
【発明の実施の形態】
以下に、実施例を掲げて本発明を更に具体的に説明するが、この発明の範囲はこれらの例示に限定されるものではない。
本発明は、錠剤タイプのぬめり取り剤を使用するもので、例えばそのぬめり取り剤は抗菌性化合物と基材とを加圧成形することにより製造することができる。その他の成分のものもあるが、既に市販されているので本明細書の中での説明は省略する。
本発明の排水口用ぬめり取り具は、バスケット型のぬめり取りフィルターに一体的に取り付け可能な構成に特徴があるもので、さらには前記ぬめり取り具そのものにも特徴がある。
以下実施例に基いて詳細に説明をする。
【０００７】
図１は、本発明の各構成物の分解図的な図であり、バスケット型フィルター１の上方に図示しているのはフィルター蓋部９である。前記フィルター蓋部９の上面部の外周部近傍には蓋の取り出し用のつまみ部８が設けられ、さらにその略中央部にはぬめり取り具３の係止部５を挿入するための係止口６が設けられる。
ぬめり取り具３の中には、ぬめり取り剤４が収容される。
バスケット型フィルター１の上部内周面には、フィルター蓋部９が載置される支持部７が設けられ、この支持部７によってフィルター蓋部９が支持される。
バスケット型フィルター１の底部の略中央部にぬめり取り具３の係止部５を係止するための係止口６が設けられている。フィルター蓋部９への着脱と同様の構成である。
また、図示はしないが、ぬめり取り具３をバスケット型フィルター１やフィルター蓋部９に取り付ける構造としては、バスケット型フィルター１やフィルター蓋部９にガイド部を設けてスライドして取り付けたり、ネジによる取り付けも可能である。実施例においては、取り付け及び成形がより簡単なフックによる係止構造を例示している。
【０００８】
図２は、図１の各構成物が組み合わされたときの状態を示すもので、フィルター蓋部９とバスケット型フィルター１のそれぞれにぬめり取り具３が装着され、かつ、フィルター蓋部９でバスケット型フィルター１を被覆している。
フィルター蓋部９のぬめり取り具３は、蓋部のぬめりを防止し、流水時には水流に溶けたぬめり取り剤４がバスケット型フィルター１の方へも流れてゆく。バスケット型フィルター１のぬめり取り具３はゴミ受け部の底面を中心にぬめりを防止する。フィルターの上下両方からぬめり取り剤を効かすので、そのぬめり防止効果は大きい。
図では、フィルター蓋部９とバスケット型フィルター１の両方にぬめり取り具３を装着しているが、ぬめりの状況によっては片方だけに装着しても良い。
【０００９】
図３は、本発明の各構成物の分解図的な図であり、図１，２とは逆に、バスケット型フィルター１やフィルター蓋部９の上側にぬめり取り具３が設けられている。ぬめり取り具３を、フィルター蓋部９の上部とバスケット型フィルター１のバスケット内の底部に装着したもので、ぬめり防止効果としては図２のものと同等である。
ただし、バスケット型フィルター１の内部の底部に載置した場合は、ぬめり取り具３の網部をよりピッチの広いものにすると良い。これは、ぬめり取り具３にゴミが覆い被さる形になり、ぬめり取り剤４の気化作用が弱められるので、その開口部を広くすることで効果が落ちるのを防止する意味がある。
【００１０】
図４は、図３の各構成物が組み合わされたときの状態を示すもので、フィルター蓋部９とバスケット型フィルター１の上側にそれぞれにぬめり取り具３が装着され、かつ、フィルター蓋部９でバスケット型フィルター１を被覆している。
バスケット型フィルター１の内部の底部に載置した場合は、ゴミに直接当ることになるので、ゴミの窒素成分と結合しにくいぬめり取り剤を使用するとか、臭気を防ぐ成分をより多く含んだぬめり取り剤を装着すると良い。
【００１１】
図５は、浴室や洗面台の排水口に用いる平板型フィルター２にぬめり取り具３を取り付ける構成を示すものである。平板型フィルター２の略中央部には、係止口６を設けて係止部５との係合によりぬめり取り具３を平板型フィルター２に取り付ける。この図はぬめり取り剤４を上方に取り付けた場合を示す。
図６は、ぬめり取り具３を平板型フィルター２に取り付けた時の組み合わせ図である。この場合の利点は、平板型フィルター２を排水口から取り除く際に、つまみ部８とぬめり取り具３に親指と人差し指をかけてつまむことができるので、取り除きが容易になる。
【００１２】
図７と図８は、図６とは逆にぬめり取り具３を平板型フィルター２の下方に取り付けたものである。効果的には図６の効果と同等であるが、利点としては、ぬめり取り具３が排水口内に位置することになるので、排水口内のぬめり防止により効果がある。
【００１３】
図９と図１０は、ぬめり取り具３を示すもので、図９はぬめり取り剤４をぬめり取り具３に装着する前の状態を示す。ぬめり取り具３の上部内周部に弾性のある突起からなるストッパー１０が一対設けられている。このストッパー１０で収容されたぬめり取り剤４の飛び出しを抑えるものである。またぬめり取り具３の上方外周部には、一対の係止部５が設けられている。１１は網部を示すもので、ストライプ状に構成されている。メッシュ状でも良いが、本実施例の場合は、より水はけの良い形状として例示した。
図１０は、ぬめり取り剤４がぬめり取り具３の中に収容された状態を示すものである。ストッパー１０の大きさは、ぬめり取り剤４の出し入れができる程度で良いので、図に示す大きさよりもっと小さくても良いし、問題ない。この構造は、ぬめり取り剤４の交換が非常に簡単であるという利点がある。成形もアンダーカットで対応できるため成形費用も安価で済む。
【００１４】
図１１は、安全性をより重視した構成を示すもので、ぬめり取り具蓋部１２をぬめり取り具３に被覆する構成にしたものである。ぬめり取り剤４は人体に有害なものであり、子供などが間違ってぬめり取り剤４を口に入れないようにするために、ぬめり取り剤４を確実にぬめり取り具３内に収容しておく構造である。ぬめり取り具３の上方内周部に溝を設け、この溝内にぬめり取り具蓋部１２の弾性を利用しながら嵌め込む構成である。場合によってはネジで構成しても良い。この構成だと確実にぬめり取り具蓋部１２は取り付けられ、多少の振動ではぬめり取り剤４の飛び出しは無く、安全性が高まる。１４は、ぬめり取り具３の外周に設けられたフック部であり、バスケット型フィルター１やフィルター蓋部９に装着せずに紐などで吊り下げたいときの構成である。
【００１５】
図１５は、上述のバスケット型フィルター１、平板型フィルター２やぬめり取り具３を効率よく成形するために、誘導帯１５を設けたものである。本発明実施例において、この誘導帯１５は、バスケット型フィルター１の底部のメッシュ状網部に設けられる。誘導帯１５の線径は、バスケット型フィルター１などの網部よりも太径で、かつ、バスケット型フィルター１の枠には直接接続されない形状にしてあるので、金型内に注入される熔融樹脂を一旦蓄圧してから網部に流入させるという作用がある。このことにより、低圧成形であるにもかかわらず金型内の熔融樹脂の流動が格段にスムースになり、流動性の向上によりバリの発生が抑えられる。
【００１６】
【発明の効果】
本発明は以上のように、ぬめり取り具をバスケット型フィルターや平板型フィルターに着脱自在に取り付け可能としたので、ぬめり取り剤の交換によって長期間の使用ができることや、その構造が簡単になっていることから取り扱いがしやすく、かつ、安全性が高いという利点がある。
以下請求項に対応して効果を述べる。
【００１７】
請求項１および４は、ぬめり取り剤が収容されたぬめり取り具を、バスケット型フィルターや平板型フィルターに着脱自在にしたことで、ユーザーの取り扱い作業がワンタッチでできるという簡便さがある。
【００１８】
請求項２ないし３は、ぬめり取り具にストッパーやぬめり取り具蓋部を設けることで、安全、簡単に取り扱えるメリットがある。
【００１９】
請求項５は、誘導帯技術を採用することで、低圧成形であるにもかかわらず金型内の熔融樹脂の流動を格段にスムースにし、流動性の向上によるバリの発生が抑えられるという、大きな効果が得られる。
【図面の簡単な説明】
【図１】本発明のバスケット型フィルターの実施例を示す断面図である。
【図２】本発明のバスケット型フィルターの実施例を示す断面図である。
【図３】本発明のバスケット型フィルターの第２の実施例を示す断面図である。
【図４】本発明のバスケット型フィルターの第２の実施例を示す断面図である。
【図５】本発明の平板型フィルターの実施例を示す断面図である。
【図６】本発明の平板型フィルターの実施例を示す断面図である。
【図７】本発明の平板型フィルターの第２の実施例を示す断面図である。
【図８】本発明の平板型フィルターの第２の実施例を示す断面図である。
【図９】本発明のぬめり取り具の実施例を示す断面図である。
【図１０】本発明のぬめり取り具の実施例を示す断面図である。
【図１１】本発明のぬめり取り具の第２の実施例を示す断面図である。
【図１２】ぬめり取り具の従来例を示す斜視図である。
【図１３】ぬめり取り具の第２の従来例を示す断面図である。
【図１４】ぬめり取り具の第３の従来例を示す斜視図である。
【図１５】本発明のバスケット型フィルターの実施例を示す底面図である。
【符号の説明】
１  バスケット型フィルター
２  平板型フィルター
３  ぬめり取り具
４  ぬめり取り剤
５  係止部
６  係止口
７  支持部
８  つまみ部
９  フィルター蓋部
１０  ストッパー
１１  網部
１２  ぬめり取り具蓋部
１３  溝部
１４  フック部
１５  誘導帯
【図１】
2004332512.tif 000003
【図２】
2004332512.tif 000004
【図３】
2004332512.tif 000005
【図４】
2004332512.tif 000006
【図５】
2004332512.tif 000007
【図６】
2004332512.tif 000008
【図７】
2004332512.tif 000009
【図８】
2004332512.tif 000010
【図９】
2004332512.tif 000011
【図１０】
2004332512.tif 000012
【図１１】
2004332512.tif 000013
【図１２】
2004332512.tif 000014
【図１３】
2004332512.tif 000015
【図１４】
2004332512.tif 000016
【図１５】
2004332512.tif 000017